(57)【要約】      （修正有）【課題】様々な形式で情報を提供することができ、かつ、利用者が提供される情報を選択できる情報提供装置を提供する。【解決手段】板状に形成されるパネル２と、パネル表面の周縁の一部に設けられる。表示面３１に第１の情報を表示する第１の情報提供部３と、第１の情報と対応付けられる複数のスイッチを有するスイッチ部４と、パネル表面において表示面３１及びスイッチ部４が設けられる残余の部分に設けられ、少なくとも用紙に印刷された第２の情報が貼り付けられる第２の情報提供部５と、スイッチに対応した第１の情報を記憶する記憶部と、第１の情報提供部の表示を制御する制御部と、を備える。制御部は、スイッチが操作された場合には、記憶部に記憶されるスイッチに対応する第１の情報を表示するように第１の情報提供部３を制御する。【選択図】図１
0003159807.tif 000002
【実用新案登録請求の範囲】
【請求項１】
板状に形成されるパネルと、
前記パネル表面の周縁の一部に表示面が設けられ、当該表示面に第１の情報を表示する第１の情報提供部と、
前記パネル表面の前記第１の情報提供部に対応して設けられ、第１の情報と対応付けられる複数のスイッチを有するスイッチ部と、
前記パネル表面において前記表示面及び前記スイッチ部が設けられる残余の部分に設けられ、少なくとも用紙に印刷された第２の情報が貼り付けられる第２の情報提供部と、
前記スイッチに対応した第１の情報を記憶する記憶部と、
前記第１の情報提供部の表示を制御する制御部と、を備え、
前記制御部は、前記スイッチが操作された場合には、前記記憶部に記憶される当該スイッチに対応する第１の情報を表示するように前記第１の情報提供部を制御することを特徴とする情報提供装置。
【請求項２】
前記制御部は、前記スイッチが操作されていない状態においては、所定の速度で第１の情報がスクロール表示されるように前記第１の情報提供部を制御することを特徴とする請求項１記載の情報提供装置。
【考案の詳細な説明】
【技術分野】
【０００１】
本考案は、表示形式の異なる情報を表示する情報提供装置に関する。
【背景技術】
【０００２】
従来より、駅や役所等の公共施設においては、ポスター、案内、行政情報等を掲示する情報提供装置が設置されている。情報提供装置としては、例えば、ポスター等の紙媒体の掲示物を掲示部に貼り付けて掲示するものが知られている（特許文献１）。
【先行技術文献】
【特許文献】
【０００３】
【特許文献１】特開平９−６２２１９号公報
【考案の概要】
【考案が解決しようとする課題】
【０００４】
しかし、上述した特許文献１記載の情報提供装置は、提供可能な掲示物が紙媒体に限られるために、情報量や提供可能な形式が限られていた。また、特許文献１記載の情報提供装置においては、利用者が提供される情報を選択できないという問題があった。
【０００５】
本考案は、様々な形式で情報を提供することができ、かつ、利用者が提供される情報を選択できる情報提供装置を提供することを目的とする。
【課題を解決するための手段】
【０００６】
本考案に係る情報提供装置は、上述した問題に鑑みてなされたものであって、板状に形成されるパネルと、前記パネル表面の周縁の一部に表示面が設けられ、当該表示面に第１の情報を表示する第１の情報提供部と、前記パネル表面の前記第１の情報提供部に対応して設けられ、第１の情報と対応付けられる複数のスイッチを有するスイッチ部と、前記パネル表面において前記表示面及び前記スイッチ部が設けられる残余の部分に設けられ、少なくとも用紙に印刷された第２の情報が貼り付けられる第２の情報提供部と、前記スイッチに対応した第１の情報を記憶する記憶部と、前記第１の情報提供部の表示を制御する制御部と、を備え、前記制御部は、前記スイッチが操作された場合には、前記記憶部に記憶される当該スイッチに対応する第１の情報を表示するように前記第１の情報提供部を制御する。
【０００７】
また、前記制御部は、前記スイッチが操作されていない状態においては、所定の速度で第１の情報がスクロール表示されるように前記表示部を制御することが好ましい。
【考案の効果】
【０００８】
本考案によれば、様々な形式で情報を提供することができ、かつ、利用者が提供される情報を選択できる情報提供装置を提供することができる。
【図面の簡単な説明】
【０００９】
【図１】本考案の情報提供装置の外観を示す図で、（ａ）はカバーを省略した正面図、（ｂ）は（ａ）の平面図、（ｃ）はスイッチの外観を示す図である。
【図２】情報提供装置に係る装置の構成を示す図である。
【図３】情報提供装置の機能を示す機能ブロック図である。
【図４】ディスプレイの表示を示すフローチャートである。
【考案を実施するための形態】
【００１０】
以下、本考案の実施形態について図１から図５を用いて説明する。本考案に係る情報提供装置１は、本実施形態においては、役場や官庁等の公共施設の入り口付近に設置され、利用者に対し、地域に係る情報（例えば、行政情報、地理情報、地域の企業の広告情報等）を提供することを例として説明する。なお、情報提供装置１は、本実施形態においては、地域に係る情報を提供するが、これに限られず、広く種々の情報も提供可能である。
【００１１】
まず、情報提供装置１の外観に関する構成について図１を用いて説明する。
情報提供装置１は、パネル２と、パネル２の表面に露出するようにディスプレイ３（第１の情報提供部）と、スイッチ部４と、掲示板５（第２の情報提供部）とを備える。
【００１２】
パネル２は、図１（ａ）及び（ｂ）に示すように、横長形状であり、板状に形成され、本体２１と、カバー２２とを備える。パネル２のサイズは、外寸法：縦約１１００ｍｍ×横約１８００ｍｍであり、内寸：縦１０１０ｍｍ×横１７１０ｍｍである。なお、パネル２は、本実施形態においては、横長形状に形成したがこれに限られず、種々の形状にすることができ、例えば、縦長形状等の長方形形状、正方形形状、円形形状等に形成することができる。また、パネル２の板状とは、利用者（各情報の閲覧者）がディスプレイ３の表示面３１及び掲示板５の閲覧及びスイッチ部４の操作が可能であればよく、平板状、湾曲状、波形状、凹凸状等の種々の形状を含むものである。
【００１３】
本体２１は、図１（ｂ）に示すように、内部に種々の装置等を収容可能な筐体として機能し、本体枠２１ａと額縁２１ｂとを有する。本体２１は、寸法：奥行約１２８．５ｍｍである。
【００１４】
本体枠２１ａは、板面２１ｃがアルミ複合材により形成され、その他の部分は、焼付塗装を施したスチール材により形成される。本体枠２１ａは、設置面（本実施形態においては、壁面Ｗ）に、例えば、本体枠２１ａの内側からビス止めする等、取り付け可能に構成される。また、板面２１ｃには、図１（ａ）に示すように、ディスプレイ領域Ｒ１と、スイッチ部領域Ｒ２と、掲示板領域Ｒ３が設けられる。
【００１５】
ディスプレイ領域Ｒ１は、パネル２の表面において、右斜め上付近（パネル２の右側方部分の上方）に配置される領域である。ディスプレイ領域Ｒ１は、ディスプレイ３の表示面３１が配置される領域であり、ディスプレイ３の表示面３１に対応して開口が設けられる（寸法：縦約５８０ｍｍ×横約３２８ｍｍ）。
【００１６】
スイッチ部領域Ｒ２は、パネル２の表面において、右斜め下付近（パネル２の右側方部分において、ディスプレイ領域Ｒ１の下方）に配置される領域である。
スイッチ部領域Ｒ２は、後述するコンテンツ選択スイッチＳＷと、コンテンツ選択スイッチＳＷに対応した後述するスイッチ表示広告ＡＤが配置される領域であり、後述するコンテンツ選択スイッチＳＷを露出させる開口が設けられ、後述するスイッチ表示広告ＡＤを表示するための領域が設けられる（寸法：縦約２００ｍｍ×横約４２５ｍｍ）。
【００１７】
掲示板領域Ｒ３は、ディスプレイ領域Ｒ１とスイッチ部領域Ｒ２以外の残余の領域（パネル２の左側部分）に配置される。掲示板領域Ｒ３は、紙媒体に印刷された地域に係る情報を貼り付けるための領域である。
【００１８】
額縁２１ｂは、本体２１の周囲を覆うように機能し、例えば、アルミ材により形成され、ビスにより本体枠２１ａに取り付けられる。
【００１９】
カバー２２は、本体枠２１ａの板面２１ｃを覆うような大きさに形成され、本体枠２１ａの板面２１ｃからやや離れた位置に配置される。カバー２２は、ディスプレイ３と掲示板５の表示が情報提供装置１の正面から見え、かつ、ディスプレイ３と掲示板５を保護できるように、例えば、透明なアクリス板により形成される。カバー２２は、本体枠２１ａに化粧ビス２３により固定される。
また、カバー２２には、利用者がコンテンツ選択スイッチＳＷを操作可能に、スイッチ部４に対応した部分に開口が設けられる。
【００２０】
ディスプレイ３は、表示が後述する制御部７１により制御可能に構成され、例えば、液晶ディスプレイにより形成される。ディスプレイ３の表示面３１は、図１（ａ）に示すように、ディスプレイ領域Ｒ１に対応して、パネル２の正面において、右斜め上付近（パネル２の右側方部分の上方）に配置される。つまり、本体枠２１ａの開口にはめ込まれる。ディスプレイ３の表示面３１は、本体枠２１ａの開口に対応したサイズのものが用いられ、本実施形態においては、縦型にした２６型のワイド液晶ディスプレイが用いられる。
【００２１】
スイッチ部４は、図１（ａ）に示すように、スイッチ部領域Ｒ２に対応して、パネル２の正面において、右斜め下付近（パネル２の右側方部分において、ディスプレイ領域Ｒ１の下方）に配置される。
スイッチ部４は、複数のコンテンツ選択スイッチＳＷと、コンテンツ選択スイッチＳＷと対応関係にあるスイッチ表示広告ＡＤとを備える。
【００２２】
スイッチ部４を構成するコンテンツ選択スイッチＳＷと、このコンテンツ選択スイッチＳＷに対応するスイッチ表示広告ＡＤとは、図１（ｃ）に示すように、スイッチ表示広告ＡＤの一部にコンテンツ選択スイッチＳＷが配置されて見えるように、一体的に形成される。
【００２３】
コンテンツ選択スイッチＳＷは、押下操作により、ライトが点灯する、いわゆるライトスイッチにより構成される。コンテンツ選択スイッチＳＷには、対応する広告情報が割り当てられている。
スイッチ表示広告ＡＤは、コンテンツ選択スイッチＳＷに対応した広告が表示される。詳細には、スイッチ表示広告ＡＤは、コンテンツ選択スイッチＳＷに割り当てられた広告情報の概要が表示される。
すなわち、コンテンツ選択スイッチＳＷとスイッチ表示広告ＡＤとは、利用者がスイッチ表示広告ＡＤを見て、スイッチ表示広告ＡＤに対応するコンテンツ選択スイッチＳＷを押下操作することにより、ディスプレイ３にスイッチ表示広告ＡＤに対応する広告情報が表示させるように機能する。
【００２４】
なお、スイッチ部４は、機械的な接点により動作するライトスイッチにより構成したがこれに限られない。スイッチ部は、例えば、タッチパネル等の種々のスイッチにより構成することができる。タッチパネルによりスイッチ部４を構成する場合には、例えば、タッチパネルを搭載したタッチパネル搭載パソコンにタッチパネルパソコンデータを変換するデータ変換装置を介して、後述する制御ユニットと接続するように構成することにより実現可能となる。また、この際には、ユーザの利便性向上のために、タッチパネルに対応してタッチパネルの操作説明をタッチパネルの周囲に表示しておくことが好ましい。
【００２５】
掲示板５は、図１（ａ）に示すように、掲示板領域Ｒ３（ディスプレイ領域Ｒ１とスイッチ部領域Ｒ２以外の残余の領域（パネル２の左側部分））に配置される。掲示板５には、地域に係る情報が印刷されたインクジェットシートが貼り付けられる。また、掲示板５に貼り付けられる地域に係る情報は、単にインクジェットシートに地図等を印刷した２次元的な表示により地域に係る情報を提供してもよいし、例えば、地図等が印刷されたインクジェットシートに印刷された地図等に対応して立体的な加工を施して３次元的な表示により提供してもよい。
【００２６】
なお、本実施形態における情報提供装置１の形状や寸法は、記載したものに限られず、適宜変更可能である。
【００２７】
次に、情報提供装置１により提供される情報について説明する。情報提供装置１においては、ディスプレイ３による広告情報（第１の情報）と、掲示板５により地域に係る情報（第２の情報）とが表示される。
【００２８】
広告情報は、情報提供装置１が設置される場所に関連する企業の商品等を含む情報であり、ディスプレイ３により表示される動画や静止画等のデジタル情報である。
地域に係る情報は、図１（ａ）に示すように、情報提供装置１が設置される地域の地図（単なる地形ではなく、例えば、名所や行政機関の所在等が明示される。）、地下鉄路線図、路線バス情報、行政情報（例えば、通達や行政からの連絡等）を含む情報であり、掲示板５にこれらの情報が印刷された紙媒体によるアナログ情報である。
【００２９】
なお、ディスプレイ３により提供される情報は、デジタル情報であればよく、広告情報に限られない。また、掲示板５により提供される情報は、アナログ情報であればよく、地域に係る情報に限られない。これらの情報は、情報提供装置１の使用目的に応じて、様々に選定することができる。
【００３０】
次に、本実施形態の情報提供装置１が備える機器類の構成について、図２及び図３を用いて説明する。
【００３１】
情報提供装置１は、さらに、ＳＷ制御ユニット６と、コンテンツプレーヤ７と、ＵＳＢメモリ９とを備える。
【００３２】
ＳＷ制御ユニット６は、各コンテンツ選択スイッチＳＷとコンテンツプレーヤ７に接続され、押下されたコンテンツ選択スイッチＳＷに対応する出力をコンテンツプレーヤ７に対して行うように構成される。
【００３３】
コンテンツプレーヤ７は、ＳＷ制御ユニット６とディスプレイ３に接続される。
コンテンツプレーヤ７は、コンテンツデータ（広告情報）を再生可能に構成され、制御部７１を有する。制御部７１は、ＳＷ制御ユニット６からの出力に基づいて、ＳＷ制御ユニット６の出力に対応した情報をＵＳＢメモリ９から出力し、ディスプレイ３に表示するよう制御する。
コンテンツプレーヤ７は、ＵＳＢメモリ９と接続可能なＵＳＢ（Ｕｎｖｅｒｓａｌ  Ｓｅｒｉａｌ  Ｂｕｓ）規格に準拠したインターフェース部（図示せず）を有する。
【００３４】
ＵＳＢメモリ９は、可搬型メモリであり、コンテンツプレーヤ７のインターフェース部９１に対応し、ＵＳＢの規格に準拠したインターフェース部９１と記憶部９２を有する。
記憶部９２には、コンテンツ選択スイッチＳＷに対応した広告情報（詳細には、押下されたコンテンツ選択スイッチＳＷに基づいたＳＷ制御ユニット６の出力に対応した広告情報）と、ディスプレイ３の表示スケジュール等の情報が記憶される。
【００３５】
ＵＳＢメモリ９は、外部機器（パソコンＰ）に接続され、広告情報（詳細には、コンテンツ選択スイッチＳＷに対応させた広告情報）やディスプレイ３の表示スケジュールの情報の登録・変更等が行われる。
表示スケジュールは、本実施形態においては、コンテンツ選択スイッチＳＷの非押下状態では、各コンテンツ選択スイッチＳＷに対応した広告情報を順に５秒間隔でスクロールして表示するスクロール表示を行うように設定される。また、表示スケジュールは、コンテンツ選択スイッチＳＷの押下状態では、押下されたコンテンツ選択スイッチＳＷに対応する広告情報を１５秒表示し、その後スクロール表示に切り替わるように設定される。
【００３６】
以上のように構成される情報提供装置１は、掲示板５に地域に係る情報を掲示することができ、かつ、ディスプレイ３にユーザにより押下されたスイッチ部４に対応する広告情報を表示することができる機能を有する。
【００３７】
次に、情報提供装置１の動作について、図４を用いて説明する。
ステップＳＴ１において、制御部７１は、スクロール表示制御を行い、ステップＳＴ２に進む。具体的には、制御部７１は、ＵＳＢメモリ９に記憶される表示スケジュールに基づいて、５秒間隔で順次広告情報のスクロール表示を行うようにディスプレイ３を制御する。
【００３８】
ステップＳＴ２において、ディスプレイ３は、スクロール表示を行い、ステップＳＴ３に進む。ディスプレイ３は、制御部７１による制御に基づいて、広告情報を表示する。
【００３９】
ステップＳＴ３において、ＳＷ制御ユニット６は、コンテンツ選択スイッチＳＷが押下されたか否かを検出する。コンテンツ選択スイッチＳＷが押下された場合には、ステップＳＴ４に進む。コンテンツ選択スイッチＳＷが押下されていない場合には、ステップＳＴ１に戻り、ディスプレイ３においてスクロール表示が継続して行われる。
【００４０】
ステップＳＴ４において、ＳＷ制御ユニット６は、ステップＳＴ３においてコンテンツ選択スイッチＳＷの押下が検出されたことにより、押下されたコンテンツ選択スイッチＳＷに対応した出力を行い、ステップＳＴ５に進む。
【００４１】
ステップＳＴ５において、制御部７１は、スイッチ対応表示制御を行い、ステップＳＴ６に進む。具体的には、制御部７１は、ステップＳＴ４におけるＳＷ制御ユニット６の押下されたコンテンツ選択スイッチＳＷに対応した出力に基づいて、記憶部９２に記憶される押下されたコンテンツ選択スイッチＳＷに対応する広告情報を、表示スケジュールに基づいて表示させるようにディスプレイ３を制御する。スイッチ対応表示とは、コンテンツ選択スイッチＳＷに対応する広告情報を１５秒の間ディスプレイ３に表示させることである。
【００４２】
ステップＳＴ６において、ディスプレイ３は、スイッチ対応表示を行い、ステップＳＴ３に進む。ディスプレイ３は、制御部７１による制御に基づいて、広告情報を表示する。
【００４３】
ステップＳＴ７において、制御部７１は、所定時間が経過したか否かを確認する。具体的には、制御部７１は、コンテンツ選択スイッチＳＷの押下によりディスプレイ３に表示される広告情報を所定時間経過後に切り替えるか否かの判断を行う。
所定時間が経過した場合には、ステップＳＴ１に戻り、スクロール表示に関する処理が行われる。所定時間が経過していない場合には、ステップＳＴ６に戻り、ディスプレイ３においてスイッチ対応表示が行われる。このように構成することで、情報提供装置１においては、スクロール表示からのスイッチＳＷの押下後のスイッチ対応表示中にいたずら等により、その後にスイッチＳＷが押下されても、スイッチ対応表示の表示時間が経過しない限り、他のスイッチ対応表示を行うことがない。
【００４４】
以上のように構成することにより、情報提供装置１においては、コンテンツ選択スイッチＳＷが押下されることにより、押下されたコンテンツ選択スイッチＳＷに対応する広告情報をディスプレイ３に表示するように動作することができる。
【００４５】
また、情報提供装置１は、掲示板５部に掲示されるアナログ情報に加えて、ディスプレイ３に表示されるデジタル情報が表示されるために、異なる形式の情報を提供することができる。
【００４６】
また、情報提供装置１は、押下されたコンテンツ選択スイッチＳＷに対応した広告情報をディスプレイ３に表示するために、利用者が提供されたい情報を選択することができる。
【００４７】
また、情報提供装置１は、コンテンツ選択スイッチＳＷが押下されていない状態においては、各コンテンツ選択スイッチＳＷに対応する広告情報がスクロール表示されるために、利用者に対して、利用者の意思がなくても（コンテンツ選択スイッチＳＷを押さなくても）広告情報を提供することができる。
【００４８】
以上、本発明に係る情報提供装置１の好適な実施形態について説明したが、本発明に係る情報提供装置１は、上述した実施形態に限定されることなく種々の形態で実施することができる。
【００４９】
なお、本実施形態の情報提供装置１においては、可搬型メモリであるＵＳＢメモリ９により、広告情報やディスプレイ３の表示スケジュールを記憶したがこれに限られない。広告情報やディスプレイ３の表示スケジュールの記憶場所は、可搬型メモリに限らず、例えば、コンテンツプレーヤ７にハードディスク等の記憶部を設けてもよく、また、コンテンツプレーヤ７とネットワークを介して接続される外部の記憶部を設けてもよい。
【符号の説明】
【００５０】
１    情報提供装置
２    パネル
３    ディスプレイ（第１の情報提供部）
４    スイッチ部
５    掲示板（第２の情報提供部）
３１  表示面
７１  制御部
８１  記憶部
ＳＷ  スイッチ
【図１】
0003159807.tif 000003
【図２】
0003159807.tif 000004
【図３】
0003159807.tif 000005
【図４】
0003159807.tif 000006